(57)【要約】【課題】ガイドパイプとトランペット型シース管との接続する接続部位の長さと略同じ幅の耐圧リングを接続部位に装着することで、トランペット型シース管内部に印加されるグラウトの圧力に充分に耐え得る定着具を提供する。【解決手段】トランペット型シース管定着具は、管内部に段差の係止部を設けると共に該段差の位置から外方向に拡径に形成した接続手段を有するトランペット型シース管と、接続手段に嵌合させて前記係止部で係止する長さで嵌合させる所定径の円筒形状に形成したガイドパイプとを有し、トランペット型シース管とガイドパイプとの嵌合面の間に少なくとも嵌合長さの幅を有する耐圧リングを介在させたことである。【選択図】　図１
2004092170.tif 000002
【特許請求の範囲】
【請求項１】
トランペット型シース管にガイドパイプを嵌合させて接続係止させるトランペット型シース管定着具であって、
前記トランペット型シース管と前記ガイドパイプとの嵌合面の間に少なくとも嵌合長さの幅を有する耐圧リングを介在させたことを特徴とするトランペット型シース管定着具。
【請求項２】
前記耐圧リングは、嵌合する先端側の肉厚を薄くするテーパ状に形成したことを特徴とする請求項１に記載のトランペット型シース管定着具。
【請求項３】
前記耐圧リングは、ラバーリングである請求項１に記載のトランペット型シース管定着具。
【請求項４】
管内部に段差の係止部を設けると共に該段差の位置から外方向に拡径に形成した接続手段を有するトランペット型シース管と、
前記接続手段に嵌合させて前記係止部で係止する長さで嵌合させる所定径の円筒形状に形成したガイドパイプとを有し、
前記トランペット型シース管と前記ガイドパイプとの嵌合面の間に少なくとも嵌合長さの幅を有する耐圧リングを介在させたことを特徴とするトランペット型シース管定着具。
【請求項５】
前記耐圧リングは、嵌合する先端側の肉厚を薄くするテーパ状に形成したことを特徴とする請求項４に記載のトランペット型シース管定着具。
【請求項６】
前記耐圧リングは、ラバーリングである請求項４に記載のトランペット型シース管定着具。
【発明の詳細な説明】
【０００１】
【発明の属する技術分野】
本発明は、トランペット型シース管定着具に関し、詳しくはトランペット型シース管に接続するガイドパイプとの接続部位であって、嵌合する面との間に所定幅の耐圧リングを介在させて、グラウト注入時における圧力に耐え得る構造のトランペット型シース管定着具に関する。
【０００２】
【従来の技術】
従来技術におけるトランペット型シース管定着具は、図７に示すように、所定の円筒形状に形成されたガイドパイプ１１１の端部にトランペット型シース管１１２を嵌合させて組み立てる。この組み立てたトランペット型シース管１２は、支圧板１１３に定着ブロック１１４と共に取り付ける構成になっている。定着ブロック１１４には、楔であるウェッジ１１５を介在させてＰＣ鋼撚線１１６を配設する。そして、この定着ブロック１１４のＰＣ鋼撚線１１６の部分にはグラウトキャップ１１７が嵌められ、その上から防塵キャップ１１８を被せた構成になっている。
又、トランペット型シース管１１２の外周には外套管１１９が配置され、この外套管１１９の延長線上のガイドパイプ１１１の部分にはダクトシース１２０を配置した構成となっている。ガイドパイプ１１１は、環状支承体１２１及びスリーブ付端板１２２で支持された構成になっている。
このような構成におけるトランペット型シース管定着具には、定着ブロック１１４に設けたグラウト注入孔（図示せず）から、トランペット型シース管１１２及びガイドパイプ１１１の内部のＰＣ鋼撚線１１６を除く空隙部分にグラウトを所定圧力で注入してＰＣ鋼撚線１１６を管内部で固定する。
【０００３】
【特許文献１】
特開２００１−２７９８６６号公報　（第２−３頁、図４）
【０００４】
【発明が解決しようとする課題】
しかしながら、従来技術で説明したトランペット型シース管定着具は、トランペット型シース管とガイドパイプとの接続部位が、単に嵌合して組み立てるか、その嵌合した部分に熱伸縮チューブ或いはブチルテープを巻回した程度であるため、グラウトを注入したときに、その接続部位からグラウトが漏れ出てしまうという問題がある。
【０００５】
従って、トランペット型シース管とガイドパイプとの接続部位からグラウトの注入時における圧力に抗してグラウトが漏出しないような構造にすることに解決しなければならない課題を有する。
【０００６】
【課題を解決するための手段】
上記課題を解決するため、本発明に係るトランペット型シース管定着具は次のような構成にすることである。
【０００７】
（１）トランペット型シース管にガイドパイプを嵌合させて接続係止させるトランペット型シース管定着具であって、前記トランペット型シース管と前記ガイドパイプとの嵌合面の間に少なくとも嵌合長さの幅を有する耐圧リングを介在させたことを特徴とするトランペット型シース管定着具。
（２）前記耐圧リングは、嵌合する先端側の肉厚を薄くするテーパ状に形成したことを特徴とする（１）に記載のトランペット型シース管定着具。
（３）前記耐圧リングは、ラバーリングである（１）に記載のトランペット型シース管定着具。
【０００８】
（４）トランペット型シース管定着具は、管内部に段差の係止部を設けると共に該段差の位置から外方向に拡径に形成した接続手段を有するトランペット型シース管と、前記接続手段に嵌合させて前記係止部で係止する長さで嵌合させる所定径の円筒形状に形成したガイドパイプとを有し、前記トランペット型シース管と前記ガイドパイプとの嵌合面の間に少なくとも嵌合長さの幅を有する耐圧リングを介在させたことである。
（５）前記耐圧リングは、嵌合する先端側の肉厚を薄くするテーパ状に形成したことを特徴とする（４）に記載のトランペット型シース管定着具。
（６）前記耐圧リングは、ラバーリングである（４）に記載のトランペット型シース管定着具。
【０００９】
このように、トランペット型シース管とガイドパイプとの接続部位に嵌合長さの幅を有する耐圧リングを介在させて組み立てたことにより、グラウト注入時における圧力に抗することができ、接続部位からのグラウトの漏出を防止することが可能になる。
【００１０】
【発明の実施の形態】
次に、本発明に係るトランペット型シース管定着具の実施形態について、図面を参照して説明する。
【００１１】
本発明のトランペット型シース管定着具は、図１に示すように、管内部に段差の係止部１１を設けると共にこの段差の位置から外方向に拡径に形成した接続手段を有するトランペット型シース管１２と、接続手段に嵌合させて係止部１１で係止する長さで嵌合させる所定径の円筒形状に形成したガイドパイプ１３とを備え、トランペット型シース管１２とガイドパイプ１３との嵌合面の間に少なくとも嵌合長さの幅を有する耐圧リング１４を介在させた構成になっている。
この耐圧リング１４を介在させてトランペット型シース管１２に嵌挿させたガイドパイプ１３の外周であってトランペット型シース管１２の端部位置に円筒形状のスパイクリング１５を嵌め込み、このスパイクリング１５を所定間隔を持って配置した複数のスパイクボルト１６をガイドパイプ１３に食い込ませて係止する。
この接続部位の外側には外套管１７で覆い、その外套管１７の外側にダクトシート１８を備えた構成になっている。
【００１２】
トランペット型シース管１２は、図２に示すように、トランペット型形状に形成した管の先端部分に鍔部１９を設け、反対側に接続部２０を備えた構成になっている。
接続部２０は、外径は同じ径に形成し、内径は係止部１１を境にして出口に向かって拡径になるような構造となっている。この係止部１１の内径がガイドパイプ１３の外径と略同じ大きさに形成されている。
このような構造を有する接続部２０は、ガイドパイプ１３の先端外周に耐圧リング１４を装着し、その耐圧リング１４を装着したガイドパイプ１３を接続部２０に差し込んで接続は完了する。
このようにして耐圧リング１４を介在させて接続すると、その接続部位においては耐圧リング１４で充填され、トランペット型シース管１２の内部に注入されるグラウトの圧力に耐えることができる。
【００１３】
耐圧リング１４は、実施例においてラバーリングであり、図３及び図４に示すように、トランペット型シース管とガイドパイプとの接続部位の嵌合長さの幅Ｗを有するものであり、嵌合する先端側の肉厚を薄くするテーパ状に形成した構成になっている。具体的には、嵌合長さの幅Ｗの略半分が同じ肉厚に形成した同径肉厚部２１であり、他の半分が中心位置から外方向に向けて肉薄のテーパ状に形成したテーパ状肉厚部２２となっている。
【００１４】
このようにテーパ状に形成することにより、ガイドパイプ１３に装着した耐圧リング１４が、先細の形状にすることで、トランペット型シース管１２の接続部２０の部位に嵌合し易い構造となっている。
【００１５】
図５及び図６は、トランペット型シース管に耐圧リングを装着したガイドパイプを接続するための器具を示したものであり、固定台２３にガイドパイプ１３を固定するためのガイドパイプ固定部２４ａ、２４ｂ、２４ｃを３組用意し、このガイドパイプ固定部２４ａ、２４ｂ、２４ｃでガイドパイプ１３を略水平になるように配置する。その配置されているガイドパイプ１３の水平方向側にトランペット型シース管１２の鍔部１９で固定するトランペット固定部２５を支持する移動部２６を設置する。
この移動部２６にはジャッキ２７が取り付けられ、このジャッキ２７を動かす挿入治具２８を備えた構成になっている。
【００１６】
このような構成からなる器具において、先ず、ガイドパイプ１３をガイドパイプ固定部２４ａ、２４ｂ、２４ｃに取り付けて固定し、トランペット固定部２５にトランペット型シース管１２を取付けて固定する。このときガイドパイプ１３には耐圧リング１４を取り付けておく。
そして、挿入治具２８のジャッキ２７を動かすことによりトランペット固定部２５がガイドパイプ１３方向に水平移動し、耐圧リング１４を備えたガイドパイプ１３にトランペット型シース管１２の接続部位が嵌合し、尚もジャッキ２７を動かすことにより耐圧リング１４を介在させた接続部位への嵌合は完了する。このようにして、ジャッキ２７の操作のみでガイドパイプ１３とトランペット型シース管１２の接続は完了する。耐圧リング１４は接続部位の長さ幅で挟持された状態でパッキングされるため、その耐圧は強いものとなる。
【００１７】
【発明の効果】
以上説明したように、本発明の耐圧リングはガイドパイプとトランペット型シース管の接続部位での接続幅と略同じ幅を持って挟持されてパッキングされるため、トランペット型シース管内部に印加されるグラウトの耐圧が強くても、充分に耐え得ることができるという効果がある。
【図面の簡単な説明】
【図１】本発明に係るトランペット型シース管定着具を略示的に示した断面図である。
【図２】本発明に係るトランペット型シース管、耐圧リング、ガイドパイプを示した説明図である。
【図３】本発明に係る耐圧リングの平面図である。
【図４】図３に示す耐圧リングの断面図である。
【図５】同トランペット型シース管に耐圧リングを介在させてガイドパイプを組み込む治具を略示的に示した側面図である。
【図６】同トランペット型シース管に耐圧リングを介在させてガイドパイプを組み込む治具を略示的に示した平面図である。
【図７】従来技術におけるトランペット型シース管定着具の断面図である。
【符号の説明】
１１；係止部、１２；トランペット型シース管、１３；ガイドパイプ、１４；耐圧リング、１５；スパイクリング、１６；スパイクボルト、１７；外套管、１８；ダクトシース、１９；鍔部、２０；接続部、２１；同径肉厚部、２２；テーパ状肉厚部、２３；固定台、２４ａ；ガイドパイプ固定部、２４ｂ；ガイドパイプ固定部、２４ｃ；ガイドパイプ固定部、２５；トランペット固定部、２６；移動部、２７；ジャッキ、２８；挿入治具。
【図１】
2004092170.tif 000003
【図２】
2004092170.tif 000004
【図３】
2004092170.tif 000005
【図４】
2004092170.tif 000006
【図５】
2004092170.tif 000007
【図６】
2004092170.tif 000008
【図７】
2004092170.tif 000009